(57)【要約】【課題】手動ズームレンズの手で操作する「ズームリング」に接する様に、電動駆動する回転体を設けた「電動ズーム装置」を、後付けする構造であると、「ズームレンズ」+「電動ズーム装置」の全体が大きくなってしまう。また、摩擦駆動力を伝達する「ズームリング」と「回転体」とは、外界に露出しているので、「ゴミ」や「油分」等の付着によって、伝達力が低下し、電動ズームできないといった不具合が生じる。【解決手段】ズームレンズ鏡筒において、手動ズーム操作時のズーム操作環の半径より小さい半径の電動ズーム用連結ギアを設ける。レンズ鏡筒の電動ズーム用連結ギアを覆い隠す部材を設ける。【選択図】図１
2017026771.tif 000002
【特許請求の範囲】
【請求項１】
１）電動ズーム装置が装着可能なズームレンズにおいて、
ズーム操作環の操作部の半径Ｒより、小さい半径ｒの位置に、電動ズーム装置の駆動ギアと連結するギアを設ける。
２）電動ズーム装置が非装着状態のズームレンズにおいて、
電動ズーム装置の駆動ギアと連結するギアは、外界から見ええないように覆い隠す部材を
設ける。
【発明の詳細な説明】
【技術分野】
【０００１】
本発明は、ズームレンズ等に用いられる電動ズーム装置（パワーズーム装置）と、ズームレンズに関する。
【背景技術】
【０００２】
従来より、ズーム機能（焦点距離可変機能）を有するレンズ、所謂、ズームレンズが、種々知られている。これらのズームレンズでは、全光学系の中の「変倍レンズ」の位置を変化させることで焦点距離を変化させており、「変倍レンズ」の位置を変化させる駆動力は、手動または電動のものがある。手動・電動の実施形態としては、手動専用のもの、電動専用のもの、手動電動両用のもの等、種々の形態が存在する。
【０００３】
本発明では、通常時は、手動のズームレンズとして使用するレンズに対して、後から装着して、電動ズーム機能を付加する電動ズーム装置と、ズームレンズとについてについて考える。この様な電動ズーム装置やズームレンズは、種々、提案されている（特許文献１参照）。
【先行技術文献】
【特許文献】
【０００４】
【特許文献１】特開２００７−１０８３７３号公報
【発明の概要】
【発明が解決しようとする課題】
【０００５】
しかしながら、上記従来例では、手動ズームレンズの手で操作する「ズームリング」に接する様に、電動駆動する回転体を設けた「電動ズーム装置」を、後付けする構造である。つまり、ズームレンズの外周径となる「ズームリング」の上に、電動ズーム装置の回転体を接触させて装着するので、「ズームレンズ」+「電動ズーム装置」の全体が大きくなってしまうという課題があった。また、摩擦駆動力を伝達する「ズームリング」と「回転体」とは、外界に露出しているので、「ゴミ」や「油分」等の付着によって、伝達力が低下し、電動ズームできないといった課題も生じることが考えられる。
【課題を解決するための手段】
【０００６】
本発明に係る電動ズーム装置が装着可能なズームレンズにおいて、電動ズーム装置は、下記のようにすることで、電動ズームを可能とする。
・手動操作する「ズームリング」外周面より、光軸に近い周上位置に、「ズームリング」と機構的に連動する連結用の「ギア」を設ける。
・前記連結用の「ギア」は、電動ズーム装置の非装着時には、外界から見えないように、覆う構造（部材）を設ける。
【発明の効果】
【０００７】
本発明によれば、
・ズームレンズに電動ズーム装置を装着した際の全体的な大きさを、小型コンパクトにできる。
・連結用の「ギア」に、「ゴミ」「油分」等が付着し難くなるので、確実に、駆動力を伝達することができる。
【図面の簡単な説明】
【０００８】
【図１】本発明の「ズームレンズ鏡筒」の図
【図２】本発明に用いられる「電動ズーム装置」の図
【図３】本発明の「ズームレンズ鏡筒」と「電動ズーム装置」が組付けられた図
【図４】本発明の「ズームレンズ鏡筒」と「電動ズーム装置」と「カメラ」が組付けられた図
【発明を実施するための形態】
【０００９】
以下、本発明を実施するための形態を図面に基づいて説明する。
【００１０】
図１と図２と図３に、本発明の実施形態の図を示す。
【００１１】
＜実施例の実施形態＞
図１は本発明の実施形態を説明する図（ズームレンズ断面図）である。
【００１２】
図１において、１００は、ズームレンズ鏡筒である。１は固定の対物レンズである。２は可動の変倍用レンズであり、１２の可動レンズ枠に固定されている。可動レンズ枠１２には、カムフォロアー部１２aがあり、後述するズームカム環のカム溝に係合している。３は可動の変倍用レンズであり、１３の可動レンズ枠に固定されている。可動レンズ枠１３には、カムフォロアー部１３aがあり、後述するズームカム環のカム溝に係合している。
【００１３】
４は可動のフォーカス用レンズであり、１４の可動レンズ枠に固定されている。可動レンズ枠１４には、カムフォロアー部１４aがあり、後述するフォーカスカム環のカム溝に係合している。５は前部固定筒である。６は前部固定筒５に対物レンズ１を固定する押え環である。７は中間固定筒である。８は後部固定筒である。９は変倍用のズームカム環である。
【００１４】
１０はズーム操作環である。ズーム操作環１０は、連結部１０aによって、ズームカム環９と連結しているので、操作者によって、ズーム操作環１０が回されると、ズームカム環９も一緒に回る。ズームカム環９には、光軸方向に所定のリードを持ったカム溝９a、カム溝９bが設けられており、前述のカムフォロアー部１２aと１３aとが、それぞれ、カム溝９aとカム溝９bとに係合しており、可動レンズ枠１２と可動レンズ枠１３とは、ズーム操作環１０の回転によって、対応した位置に移動し、所定の焦点距離（テレ〜ワイド）を実現する。１１は、絞りである。ズーム操作環１０の操作部の半径はＲである。
【００１５】
さらに、ズーム操作環１０には、光軸から半径ｒの位置にギア部１０bが設けてある。この時、半径Ｒと半径ｒの大小関係は、
Ｒ＞ｒ
となるようにする。
【００１６】
１５は焦点調整用のフォーカスカム環である。１６はフォーカス操作環である。フォーカス操作環１６は、連結部１６aによって、フォーカスカム環１５と連結しているので、操作者によって、フォーカス操作環１６が回されると、フォーカスカム環１５も一緒に回る。フォーカスカム環１５には、光軸方向に所定のリードを持ったカム溝１５aが設けられており、前述のカムフォロアー部１４aが、カム溝１５aに係合しており、可動レンズ枠１４は、フォーカス操作環１６の回転によって、対応した位置に移動し、所定の被写体距離（無限〜至近）を実現する。
【００１７】
１７はレンズ側マウントである。１８は外観筒で、固定部品である。１８aは、穴であり、ズーム操作環１０のギア部１０bの真上にあけられている。穴１８aは、穴でなくてもよく、例えば、外観筒１８の一部を、取り外し可能な構造にしておくこともできる。１９は蓋であり、電動ズーム装置の非装着時に、ギア部１０aが外界から見えないように、覆い隠す部材である。
【００１８】
上記が本発明の実施例の構成・動作の説明である。
【００１９】
上記実施例では、外観筒１８に穴１８aを設け、穴１８aを塞ぐ蓋１９を別部材としたが、外観筒１８の一部分が取外し可能な形状としてもよい。また、前記取外し可能な形状や、蓋１９は、外観筒１８に対して、ヒンジやひも等で繋がっていてもよい。
【００２０】
図２は本発明に用いられる電動ズーム装置の略図である。２００は電動ズーム装置の筐体である。２０１は、テレ・ワイドスイッチで、前記筐体２００の表面に配置されており、テレ矢印ボタンとワイド矢印ボタンを有している。
【００２１】
下記２０２〜２０５は前記筐体内部に設けられた構成要素である。２０２はモータである。２０３はモータ出力ギアであり、モータ２０２によって回転駆動される出力軸に取付けてある。２０４はギアであり、ギア前記モータ出力ギア２０３に噛み合っている。２０５はモータ制御部で、電子回路基板やバッテリー等で構成されている。
【００２２】
操作者が、テレ・ワイドスイッチ２０１のいずれかのボタン（テレまたはワイド）を押すと、テレ信号又はワイド信号が、モータ制御部２０５に入力される。モータ制御部２０５は、それぞれの入力信号に基づいて、モータ２０２を、テレ駆動またはワイド駆動する様に、モータ出力軸を回転させる。その回転力は、モータ出力ギア２０３から、ギア２０４に伝達される。ギア２０４は、ズームレンズ（図１）のズーム操作環１０に設けられたギア部１０bに噛合わせることで、ズーム操作環１０は、所定の方向に、電動で駆動されることになる。２０６はレンズとの取付け部であり、前記筐体２００と一体的に設けられている。
【００２３】
図３はズームレンズ鏡筒と電動ズーム装置が組付けられた図である。ズームレンズの外観筒１８の穴１８aを通して、電動ズーム装置のギア２０４を入り込ませ、ズーム操作環１０のギア部１０ｂに噛合わせている。この相互位置関係になるように、ズームレンズ鏡筒の後部固定筒８と、電動ズーム装置の取付け部２０６とが、固定されている。
【００２４】
図４は本ズームレンズ鏡筒と電動ズーム装置とカメラが組付けられた図である。３００はカメラである（ここでは、レンズ交換式カメラである）。３０１はカメラ側マウントである。カメラ側マウント３０１には、レンズ１００のレンズ側マウント１７が取付けられる様になっている。
【符号の説明】
【００２５】
１  対物レンズ、２  変倍用レンズ、１２  可動レンズ枠、１２a  カムフォロアー部、
３  変倍用レンズ、１３  可動レンズ枠、１３a  カムフォロアー部、
４  フォーカス用レンズ、１４  可動レンズ枠、１４a  カムフォロアー部、
５  前部固定筒、６  押え環、７  中間固定筒、８  後部固定筒、９  ズームカム環、
９a  カム溝、９b  カム溝、１０  ズーム操作環、１０a  連結部、１０b  ギア部、
Ｒ  ズーム操作環１０の操作部分の半径、ｒ  ズーム操作環１０のギア部の半径、
１１  絞り、１５  フォーカスカム環、１５a  カム溝、１６  フォーカス操作環、
１６a  連結部、１７  レンズ側マウント、１８  外観筒、１８a  外観筒の穴、
１９  蓋、１００  ズームレンズ鏡筒、２００  電動ズーム装置の筐体、
２０１  テレ・ワイドスイッチ、２０２  モータ、２０３  モータ出力ギア、
２０４  ギア、２０５  モータ制御部、２０６  レンズとの取付け部、３００  カメラ、
３０１  カメラ側マウント
【図１】
2017026771.tif 000003
【図２】
2017026771.tif 000004
【図３】
2017026771.tif 000005
【図４】
2017026771.tif 000006